(57)【要約】【課題】  運搬時にコンパクトにすることができるとともに、連結容易な飛散防止網を提供する【解決手段】  左連結壁７１が左側壁５１から離間して上下方向に延設され、右連結壁８１が右側壁６１から離間して上下方向に延設され、左側壁５１に上下対称的に複数の係止孔が穿通され、右側壁６１に左側壁５１の係止孔と対向するように複数の係止孔が穿通され、左連結壁７１の後面と、他の飛散防止網Ｆの右側壁６１の右側面とを合わせたときに、その右側壁６１の係止孔と位置が一致するように、左連結壁７１に複数の係止孔が穿通され、右連結壁８１の後面と、他の飛散防止網Ｆの左側壁５１の左側面とを合わせたときに、その左側壁５１の係止孔と位置が一致するように、右連結壁８１に複数の係止孔が穿通されている飛散防止網Ｆ。【選択図】  図１
0003116513.tif 000002
【実用新案登録請求の範囲】
【請求項１】
互いに対向する長尺板状の上壁及び下壁と、前記上壁と前記下壁とを連結し互いに対向する長尺板状の左側壁及び右側壁と、を備えた矩形状の枠体と、
前記枠体の前側開口面を塞ぐように前記枠体に張設されたネットと、
を備えた飛散防止網であって、
前記前側開口面に対して平行な長尺板状をなす左連結壁が、前記左側壁から離間して、前記上壁の左端部付近の後側縁部と前記下壁の左端部付近の後側縁部とを連結するように上下方向に延設され、
前記前側開口面に対して平行な長尺板状をなす右連結壁が、前記右側壁から離間して、前記上壁の右端部付近の後側縁部と前記下壁の右端部付近の後側縁部とを連結するように上下方向に延設され、
前記左側壁に、上下対称的に複数の係止孔が穿通され、
前記右側壁に、前記左側壁の前記係止孔と対向するように、複数の係止孔が穿通され、
前記左連結壁の後面と、他の前記飛散防止網の前記右側壁の右側面とを合わせたときに、当該他の前記飛散防止網の前記右側壁の前記係止孔と位置が一致するように、前記左連結壁に複数の係止孔が穿通され、
前記右連結壁の後面と、他の前記飛散防止網の前記左側壁の左側面とを合わせたときに、当該他の前記飛散防止網の前記左側壁の前記係止孔と位置が一致するように、前記右連結壁に複数の係止孔が穿通されている
ことを特徴とする飛散防止網。
【請求項２】
前記上壁に、左右対称的に複数の係止孔が穿通され、
前記下壁に、前記上壁の前記係止孔と対向するように、複数の係止孔が穿通されている
ことを特徴とする請求項１記載の飛散防止網。
【請求項３】
前記左連結壁が、正面視において、前記上壁の最も左側の前記係止孔とその右隣の前記係止孔との間の部位から、前記下壁の最も左側の前記係止孔とその右隣の前記係止孔との間の部位まで延設され、
前記右連結壁が、正面視において、前記上壁の最も右側の前記係止孔とその左隣の前記係止孔との間の部位から、前記下壁の最も右側の前記係止孔とその左隣の前記係止孔との間の部位まで延設されている
ことを特徴とする請求項２記載の飛散防止網。
【請求項４】
前記左連結壁の後面と、他の前記飛散防止網の前記右側壁の右側面とを合わせたときに、略コ字形状の筋交い部材の一端部を、前記上壁の左側部に穿通された前記係止孔に挿通するとともに、前記筋交い部材の他端部を、当該他の前記飛散防止網の前記上壁の右側部に穿通された前記係止孔に挿通することにより、前記筋交い部材で当該他の前記飛散防止網と連結可能であり、
右連結壁の後面と、他の前記飛散防止網の前記左側壁の左側面とを合わせたときに、他の前記筋交い部材の一端部を、前記上壁の右側部に穿通された前記係止孔に挿通するとともに、当該他の前記筋交い部材の他端部を、当該他の前記飛散防止網の前記上壁の左側部に穿通された前記係止孔に挿通することにより、当該他の前記筋交い部材で当該他の前記飛散防止網と連結可能である
ことを特徴とする請求項２または３記載の飛散防止網。
【請求項５】
前記左連結壁から前記左連結壁と直角をなして前方に延設された左補助壁と、
前記右連結壁から前記右連結壁と直角をなして前方に延設された右補助壁と、
を備え、
前記左補助壁に、前記左側壁の前記係止孔と対向するように、複数の係止孔が穿通され、
前記右補助壁に、前記右側壁の前記係止孔と対向するように、複数の係止孔が穿通されている
ことを特徴とする請求項１、２、３、または、４記載の飛散防止網。
【請求項６】
前記ネットの左端部と右端部とに、それぞれ、前記ネットの上端部から下端部まで延びる長尺板状のネット固定部材が取着され、
前記各ネット固定部材が前記枠体に着脱自在に取着されて、前記ネットが前記枠体に張設される
ことを特徴とする請求項１、２、３、４、または、５記載の飛散防止網。
【請求項７】
前記各ネット固定部材が、長尺板状の前部材と、長尺板状の後部材とを備え、
前記前部材と前記後部材との間に前記ネットを挟んで、前記前部材と前記後部材とを螺着することにより、前記ネットに前記ネット固定部材が取着される
ことを特徴とする請求項６記載の飛散防止網。
【請求項８】
前記前部材と前記後部材とを螺着する際に、スプリングワッシャーを介在させて螺着することを特徴とする請求項７記載の飛散防止網。
【考案の詳細な説明】
【技術分野】
【０００１】
本考案は、コンクリートやアスファルト等のはつり作業の際に発生するはつり小片の飛散を防止する飛散防止網に関する。
【背景技術】
【０００２】
従来、道路脇等でコンクリート等のはつり作業を行うときは、コンクリート片等のはつり小片が飛散して、通行中の車両等に損傷を与えることを防止するため、図６に示すような飛散防止網１０１を、作業現場の周囲に立設し、はつり小片の飛散を防止している。この飛散防止網１０１は、枠体１０４にネット１０５を張設した遮蔽部１０３に、支持部材１０２を連結したものであり、支持部材１０２で遮蔽部１０３を転倒しないように支えている。
【考案の開示】
【考案が解決しようとする課題】
【０００３】
しかし、従来の飛散防止網１０１は、遮蔽部１０３から突出する支持部材１０２を有しているため、運搬時に重ねることが困難で、コンパクトにできないという問題があった。また、複数の飛散防止網１０１を、高さ方向に重ねたり、長手方向に連結したりするのに、工夫が必要であった。
【０００４】
この考案は、上述した問題を解決するものであり、運搬時にコンパクトにすることができるとともに、連結容易な飛散防止網を提供することを目的とする。
【課題を解決するための手段】
【０００５】
請求項１記載の飛散防止網は、互いに対向する長尺板状の上壁及び下壁と、前記上壁と前記下壁とを連結し互いに対向する長尺板状の左側壁及び右側壁と、を備えた矩形状の枠体と、前記枠体の前側開口面を塞ぐように前記枠体に張設されたネットと、を備えたものであって、前記前側開口面に対して平行な長尺板状をなす左連結壁が、前記左側壁から離間して、前記上壁の左端部付近の後側縁部と前記下壁の左端部付近の後側縁部とを連結するように上下方向に延設され、前記前側開口面に対して平行な長尺板状をなす右連結壁が、前記右側壁から離間して、前記上壁の右端部付近の後側縁部と前記下壁の右端部付近の後側縁部とを連結するように上下方向に延設され、前記左側壁に、上下対称的に複数の係止孔が穿通され、前記右側壁に、前記左側壁の前記係止孔と対向するように、複数の係止孔が穿通され、前記左連結壁の後面と、他の前記飛散防止網の前記右側壁の右側面とを合わせたときに、当該他の前記飛散防止網の前記右側壁の前記係止孔と位置が一致するように、前記左連結壁に複数の係止孔が穿通され、前記右連結壁の後面と、他の前記飛散防止網の前記左側壁の左側面とを合わせたときに、当該他の前記飛散防止網の前記左側壁の前記係止孔と位置が一致するように、前記右連結壁に複数の係止孔が穿通されていることを特徴とする。
【０００６】
請求項２記載の飛散防止網は、前記上壁に、左右対称的に複数の係止孔が穿通され、前記下壁に、前記上壁の前記係止孔と対向するように、複数の係止孔が穿通されていることを特徴とする。
【０００７】
請求項３記載の飛散防止網は、前記左連結壁が、正面視において、前記上壁の最も左側の前記係止孔とその右隣の前記係止孔との間の部位から、前記下壁の最も左側の前記係止孔とその右隣の前記係止孔との間の部位まで延設され、前記右連結壁が、正面視において、前記上壁の最も右側の前記係止孔とその左隣の前記係止孔との間の部位から、前記下壁の最も右側の前記係止孔とその左隣の前記係止孔との間の部位まで延設されていることを特徴とする。
【０００８】
請求項４記載の飛散防止網は、前記左連結壁の後面と、他の前記飛散防止網の前記右側壁の右側面とを合わせたときに、略コ字形状の筋交い部材の一端部を、前記上壁の左側部に穿通された前記係止孔に挿通するとともに、前記筋交い部材の他端部を、当該他の前記飛散防止網の前記上壁の右側部に穿通された前記係止孔に挿通することにより、前記筋交い部材で当該他の前記飛散防止網と連結可能であり、右連結壁の後面と、他の前記飛散防止網の前記左側壁の左側面とを合わせたときに、他の前記筋交い部材の一端部を、前記上壁の右側部に穿通された前記係止孔に挿通するとともに、当該他の前記筋交い部材の他端部を、当該他の前記飛散防止網の前記上壁の左側部に穿通された前記係止孔に挿通することにより、当該他の前記筋交い部材で当該他の前記飛散防止網と連結可能であることを特徴とする。
【０００９】
請求項５記載の飛散防止網は、前記左連結壁から前記左連結壁と直角をなして前方に延設された左補助壁と、前記右連結壁から前記右連結壁と直角をなして前方に延設された右補助壁と、を備え、前記左補助壁に、前記左側壁の前記係止孔と対向するように、複数の係止孔が穿通され、前記右補助壁に、前記右側壁の前記係止孔と対向するように、複数の係止孔が穿通されていることを特徴とする。
【００１０】
請求項６記載の飛散防止網は、前記ネットの左端部と右端部とに、それぞれ、前記ネットの上端部から下端部まで延びる長尺板状のネット固定部材が取着され、前記各ネット固定部材が前記枠体に着脱自在に取着されて、前記ネットが前記枠体に張設されることを特徴とする。
【００１１】
請求項７記載の飛散防止網は、前記各ネット固定部材が、長尺板状の前部材と、長尺板状の後部材とを備え、前記前部材と前記後部材との間に前記ネットを挟んで、前記前部材と前記後部材とを螺着することにより、前記ネットに前記ネット固定部材が取着されることを特徴とする。
【００１２】
請求項８記載の飛散防止網は、前記前部材と前記後部材とを螺着する際に、スプリングワッシャーを介在させて螺着することを特徴とする。
【考案の効果】
【００１３】
請求項１記載の飛散防止網は、飛散防止網同士を連結することにより自立可能で、支持部材の突設が不要なので、運搬時や収納時に積み重ねてコンパクトにすることができる。また、係止孔にＵピン等を挿通するだけで連結でき、そのＵピン等を抜脱すれば解体できるので、連結・解体容易である。さらに、左右に他の飛散防止網を連結できるので、囲いたい場所の大きさに合わせて容易に拡張できる。
【００１４】
請求項２記載の飛散防止網によれば、上壁の上面と、他の飛散防止網の下壁の下面とを合わせて、係止孔にＵピン等を挿通することにより、上側にも他の飛散防止網を連結できるので、高さも容易に拡張できる。
【００１５】
請求項３記載の飛散防止網によれば、左連結壁及び右連結壁が、上壁や下壁の係止孔にＵピン等を挿通するときの妨げにならない。
【００１６】
請求項４記載の飛散防止網によれば、飛散防止網の左連結壁または右連結壁に他の飛散防止網を連結したときに、筋交い部材で飛散防止網同士を連結することにより、がたつきを防止できる。
【００１７】
請求項５記載の飛散防止網によれば、左右に飛散防止網を連結したときに、左補助壁、左側壁、右側壁、及び、右補助壁の互いに一致する係止孔に、Ｌピン等を挿通することにより、がたつきを防止できる。
【００１８】
請求項６記載の飛散防止網によれば、ネットの取替えが容易である。
【００１９】
請求項７記載の飛散防止網によれば、ネットが破損しても、ネット固定部材からネットを外して、ネットだけを取り替えればよいので、最小限の取替えで済み、コストを低減できる。
【００２０】
請求項８記載の飛散防止網によれば、ネット固定部材の前部材と後部材とをスプリングワッシャーを介して螺着するので、螺子の緩みを防止できる。
【考案を実施するための最良の形態】
【００２１】
以下、本考案の一実施形態の飛散防止網Ｆについて、図面に基づいて説明する。飛散防止網Ｆは、図１〜４に示すように、枠体１と、枠体１に取着されたネット部２とを備えている。
【００２２】
枠体１は、いずれも断面Ｌ字形状の上枠部材３、下枠部材４、左枠部材５、及び、右枠部材６を備え、上枠部材３の左端部と左枠部材５の上端部、左枠部材５の下端部と下枠部材４の左端部、下枠部材４の右端部と右枠部材６の下端部、右枠部材６の上端部と上枠部材３の右端部とを、それぞれ固着することにより、矩形状に形成されている。なお、図２（ａ）は背面図であるので、枠体１の左右と図２（ａ）紙面上の左右とは逆になっている。
【００２３】
上枠部材３は、枠体１の上面を構成する長尺板状の上壁３１と、上壁３１の前側縁から上壁３１と直角をなして下方に延設された上前壁３２とから構成されている。
【００２４】
下枠部材４は、枠体１の下面を構成する長尺板状の下壁４１と、下壁４１の前側縁から下壁４１と直角をなして上方に延設された下前壁４２とから構成されている。
【００２５】
左枠部材５は、枠体１の左側面を構成する長尺板状の左側壁５１と、左側壁５１の前側縁から左側壁５１と直角をなして右方に延設された左前壁５２とから構成されている。
【００２６】
右枠部材６は、枠体１の右側面を構成する長尺板状の右側壁６１と、右側壁６１の前側縁から右側壁６１と直角をなして左方に延設された右前壁６２とから構成されている。
【００２７】
そして、上壁３１と下壁４１とは、左側壁５１及び右側壁６１により連結され、上壁３１と下壁４１とが互いに対向するとともに、左側壁５１と右側壁６１とが互いに対向している。
【００２８】
上壁３１には、左端部３１ａ付近から右端部３１ｂ付近にわたって、左右対称的に複数の係止孔３１ｃが穿通されている。下壁４１には、上壁３１の係止孔３１ｃと対向するように、複数の係止孔４１ｃが穿通されている。
【００２９】
左側壁５１には、上端部付近から下端部付近にわたって、上下対称的に複数の係止孔５１ｃ（図５参照）が穿通されている。右側壁６１には、左側壁５１の係止孔５１ｃと対向するように、複数の係止孔６１ｃが穿通されている。
【００３０】
上前壁３２、下前壁４２、左前壁５２、及び、右前壁６２は、枠体１の前面を構成し、これらで囲まれることにより、枠体１の前面には、矩形状の前側開口面１０が形成されている。左前壁５２と右前壁６２とには、複数の取付孔１１が穿通されている。
【００３１】
また、枠体１は、いずれも断面Ｌ字形状の左連結部材７及び右連結部材８を備えている。
【００３２】
左連結部材７は、前側開口面１０に対して平行な長尺板状をなす左連結壁７１と、左連結壁７１の左側縁から左連結壁７１と直角をなして、前側開口面１０に至るまで前方に延設された左補助壁７２とから構成されている。
【００３３】
左連結壁７１は、左側壁５１から所定間隔Ｌ離間して（図２（ａ）参照）、上壁３１の左端部３１ａ付近の後側縁部と、下壁４１の左端部４１ａ付近の後側縁部とを連結するように、上下方向に延設されている。
【００３４】
詳しくは、左連結壁７１は、正面視において、上壁３１の最も左側の係止孔３１ｃと、その右隣の係止孔３１ｃとの間の部位から、下壁４１の最も左側の係止孔４１ｃとその右隣の係止孔４１ｃとの間の部位まで延設されている。かかる位置に左連結壁７１を配置したのは、係止孔３１ｃ、４１ｃの形成位置を避けるとともに、枠体１の左端部付近に他の飛散防止網Ｆを連結可能として、はつり現場等をなるべく広く囲うためである。
【００３５】
左連結壁７１には、左連結壁７１の後面と他の飛散防止網Ｆの右側壁６１の右側面とを合わせたときに、その右側壁６１の係止孔６１ｃと位置が一致するように、複数の係止孔７１ｃが穿通されている。
【００３６】
左補助壁７２は、左側壁５１と平行に対向し（図２（ｃ）参照）、上壁３１の左端部３１ａ付近と、下壁４１の左端部４１ａ付近とを連結するように上下方向に延設されている。左補助壁７２には、左側壁５１の係止孔５１ｃと対向するように、複数の係止孔７２ｃが穿通されている。
【００３７】
右連結部材８は、前側開口面１０に対して平行な長尺板状をなす右連結壁８１と、右連結壁８１の右側縁から右連結壁８１と直角をなして、前側開口面１０に至るまで前方に延設された右補助壁８２とから構成されている。
【００３８】
右連結壁８１は、右側壁６１から所定間隔Ｌ離間して（図２（ａ）参照）、上壁３１の右端部３１ｂ付近の後側縁部と、下壁４１の右端部４１ｂ付近の後側縁部とを連結するように、上下方向に延設されている。
【００３９】
詳しくは、右連結壁８１は、正面視において、上壁３１の最も右側の係止孔３１ｃとその左隣の係止孔３１ｃとの間の部位から、下壁４１の最も右側の係止孔４１ｃとその左隣の係止孔４１ｃとの間の部位まで延設されている。かかる位置に右連結壁８１を配置したのは、左連結壁７１と同様の理由からである。
【００４０】
右連結壁８１には、右連結壁８１の後面と他の飛散防止網Ｆの左側壁５１の左側面とを合わせたときに、その左側壁５１の係止孔５１ｃと位置が一致するように、複数の係止孔８１ｃが穿通されている。
【００４１】
右補助壁８２は、右側壁６１と平行に対向し、上壁３１の右端部３１ｂ付近と、下壁４１の右端部４１ｂ付近とを連結するように上下方向に延設されている。右補助壁８２には、右側壁６１の係止孔６１ｃと対向するように、複数の係止孔８２ｃが穿通されている
ネット部２は、ネット２１と、ネット２１の左端部と右端部とにそれぞれ取着されたネット固定部材２２とを備えている。ネット２１は、上端部と下端部とに側帯２１ａを有した網である。
【００４２】
各ネット固定部材２２は、ネット２１の上端部から下端部まで延びる長尺板状をなしている。詳しくは、図３に示すように、各ネット固定部材２２は、長尺板状の板部材２３、２３からなり、各板部材２３には、複数の挿通孔２３ａと、複数の取付孔２３ｂとが穿通されている。取付孔２３ｂの位置は、ネット固定部材２２を左前壁５２に重ねたときには、左前壁５２の取付孔１１と一致し、ネット固定部材２２を右前壁６２に重ねたときには、右前壁６２の取付孔１１と一致する。
【００４３】
そして、一方の板部材２３を前部材とし、他方の板部材２３を後部材として、図３（ｂ）に示すように、板部材２３、２３間にネット２１を挟んで各挿通孔２３ａに螺子２４を挿通し、螺子２４の先端にスプリングワッシャー２５を介してナット２６を螺着することにより、板部材２３、２３が互いに螺着され、ネット２１にネット固定部材２２が取着される。
【００４４】
そして更に、図４に示すように、ネット固定部材２２の一方を左前壁５２に、他方を右前壁６２に重ねて、蝶螺子１２を、各取付孔２３ｂと、その取付孔２３ｂに一致する取付孔１１とに挿通して、蝶螺子１２の先端部にナットを螺着することにより、ネット固定部材２２が枠体１に取着され、ネット２１が、前側開口面１０を塞ぐように、枠体１に張設されることとなる。かかるネット部２の枠体１への取付作業の際にも、左連結壁７１、右連結壁８１は、それぞれ左側壁５１、右側壁６１から離間しているため、作業の邪魔にならない。
【００４５】
以上のように構成された飛散防止網Ｆを、はつり現場等に立設するときには、複数の飛散防止網Ｆを連結することにより立設する。以下、図５を用いて説明する。図５では、飛散防止網Ｆを区別するため、Ｆ１〜Ｆ６の符号を付している。
【００４６】
飛散防止網Ｆ１、Ｆ２を左右に連結するときは、一方の飛散防止網Ｆ１の左側壁５１の左側面と、他方の飛散防止網Ｆ２の右側壁６１の右側面とを合わせる。すると、一方の飛散防止網Ｆ１の係止孔５１ｃと、他方の飛散防止網Ｆ２の係止孔６１ｃとの位置が一致するので、適当な係止孔５１ｃを複数選び、選んだ係止孔５１ｃと、その係止孔５１ｃに一致する係止孔６１ｃとに、Ｕピン１３を挿通する。これにより、飛散防止網Ｆ１、Ｆ２が左右に連結される。
【００４７】
また、飛散防止網Ｆ１、Ｆ２を左右に連結した後、一方の飛散防止網Ｆ１の係止孔７２ｃから適当な係止孔７２ｃを複数選び、選んだ係止孔７２ｃと、その係止孔７２ｃに対向する飛散防止網Ｆ１の係止孔５１ｃ、その係止孔５１ｃに一致する飛散防止網Ｆ２の係止孔６１ｃ、その係止孔６１ｃに対向する飛散防止網Ｆ２の係止孔８２ｃに、Ｌピン１４を挿通する。これにより、飛散防止網Ｆ１、Ｆ２のがたつきが防止される。
【００４８】
飛散防止網Ｆ１、Ｆ３を上下に連結するときは、一方の飛散防止網Ｆ１の上壁３１の上面と、他方の飛散防止網Ｆ３の下壁４１の下面とを合わせる。すると、一方の飛散防止網Ｆ１の係止孔３１ｃと、他方の飛散防止網Ｆ３の係止孔４１ｃとの位置が一致するので、適当な係止孔３１ｃを複数選び、選んだ係止孔３１ｃと、その係止孔３１ｃに一致する係止孔４１ｃとに、Ｕピン１３を挿通する。これにより、飛散防止網Ｆ１、Ｆ３が上下に連結される。
【００４９】
図５では、同様にして、飛散防止網Ｆ２、Ｆ４を上下に連結するとともに、飛散防止網Ｆ３、Ｆ４を左右に連結している。
【００５０】
また、上記のように連結した飛散防止網Ｆ１〜Ｆ４を立設するときは、飛散防止網Ｆ２の左連結壁７１の後面と、他の飛散防止網Ｆ５の右側壁６１の右側面とを合わせる。すると、飛散防止網Ｆ２の係止孔７１ｃと、飛散防止網Ｆ５の係止孔６１ｃとの位置が一致するので、適当な係止孔７１ｃを複数選び、選んだ係止孔７１ｃと、その係止孔７１ｃに一致する係止孔６１ｃとに、Ｕピン１３を挿通する。これにより、飛散防止網Ｆ２、Ｆ５が互いに連結される。
【００５１】
そして、飛散防止網Ｆ１の右連結壁８１の後面と、他の飛散防止網Ｆ６の左側壁５１の左側面とを合わせる。すると、飛散防止網Ｆ１の係止孔８１ｃと、飛散防止網Ｆ６の係止孔５１ｃとの位置が一致するので、適当な係止孔８１ｃを複数選び、選んだ係止孔８１ｃと、その係止孔８１ｃに一致する係止孔５１ｃとに、Ｕピンを挿通する。これにより、飛散防止網Ｆ１、Ｆ６が互いに連結され、この結果、平面視において略コ字形状をなすように、飛散防止網Ｆ１〜Ｆ６が連結されて自立する。なお、強風時等には、必要に応じて、飛散防止網Ｆ５、Ｆ６に土嚢を載せて、転倒をさらに防止する。
【００５２】
また、略コ字形状の筋交い部材９の一端部を、飛散防止網Ｆ２の上壁３１の左側部（左右方向における中央よりも左側の部分）に穿通された係止孔３１ｃに、他端部を、飛散防止網Ｆ５の上壁３１の右側部（左右方向における中央よりも右側の部分）に穿通された係止孔３１ｃに挿通することにより、筋交い部材９で、飛散防止網Ｆ２と飛散防止網Ｆ５とが連結され、がたつきが防止される。なお、図５では、飛散防止網Ｆ２の上に飛散防止網Ｆ４が連結されているので、筋交い部材９を飛散防止網Ｆ２の係止孔３１ｃに挿通する際には、その係止孔３１ｃに一致する飛散防止網Ｆ４の係止孔４１ｃに挿通してから挿通する。
【００５３】
また、同様に、他の筋交い部材９の一端部を、飛散防止網Ｆ６の上壁３１の左側部に穿通された係止孔３１ｃに、他端部を、飛散防止網Ｆ１の上壁部３１の右側部に穿通された係止孔３１ｃに挿通することにより、筋交い部材９で、飛散防止網Ｆ１と飛散防止網Ｆ６とが連結され、がたつきが防止される。なお、図５では、飛散防止網Ｆ１の上に飛散防止網Ｆ３が連結されているので、筋交い部材９を飛散防止網Ｆ１の係止孔３１ｃに挿通する際には、その係止孔３１ｃに一致する飛散防止網Ｆ３の係止孔４１ｃに挿通してから挿通する。
【００５４】
以上述べたように、飛散防止網Ｆは、飛散防止網Ｆ同士を連結することにより自立可能なので、支持部材の突設が不要であり、運搬時や収納時に積み重ねてコンパクトにすることができる。
【００５５】
また、係止孔３１ｃ等にＵピン１３等を挿通するだけで連結でき、そのＵピン１３等を抜脱すれば解体できるので、連結・解体容易である。
【００５６】
また、一の飛散防止網Ｆの左側壁５１の左側面と、他の飛散防止網Ｆの右側壁６１の右側面とを合わせて、係止孔５１ｃ、６１ｃにＵピン１３を挿通することにより、左右に飛散防止網Ｆ、Ｆを連結できるので、囲いたい場所の大きさに合わせて容易に拡張できる。
【００５７】
また、一の飛散防止網Ｆの上壁３１の上面と、他の飛散防止網Ｆの下壁４１の下面とを合わせて、係止孔３１ｃ、４１ｃにＵピン１３を挿通することにより、上下に飛散防止網Ｆ、Ｆを連結できるので、高さも容易に拡張できる。
【００５８】
また、左連結壁７１、右連結壁８１は、それぞれ、左側壁５１、右側壁６１から離間しているので、係止孔５１ｃ、６１ｃにＵピン１３を挿通するときの邪魔にならず、また、係止孔３１ｃ、４１ｃの形成位置を避けて配置されているので、係止孔３１ｃ、４１ｃにＵピン１３を挿通するときの邪魔にもならない。
【００５９】
また、左側壁５１には、上下対称的に複数の係止孔５１ｃが穿通されており、右側壁６１には、係止孔５１ｃと対向するように（したがって、上下対称的に）複数の係止孔６１ｃが穿通されているので、上下逆でも連結可能であり、連結時に上下を考慮しなくてもよく、連結容易である。
【００６０】
また、ネット固定部材２２を枠体１から外せばネット２１が枠体１から外れるので、ネット２１の破損時等の取替えが容易である。さらに、板部材２３、２３にネット２１を挟んで板部材２３、２３を螺着することにより、ネット２１にネット固定部材２２が取着されているので、ネット固定部材２２からのネット２１の取り外しが容易であり、ネット２１が破損しても、ネット固定部材２２からネット２１を外して、ネット２１だけを取り替えればよく、最小限の取替えで済むため、コストを低減できる。また、スプリングワッシャー２５を介して螺着することにより、螺子の緩みを防止できる。
【００６１】
なお、飛散防止網Ｆの連結の形態は、適宜変更可能であり、上述した平面視において略コ字形状をなす形態の他に、平面視において略ロ字形状をなす形態も採り得る。また、連結の順序も適宜変更可能である。
【００６２】
また、Ｕピン１３以外の係止部材を係止孔３１ｃ等に挿通することにより、飛散防止網Ｆ同士を連結してもよい。
【００６３】
すなわち、実用新案登録請求の範囲を逸脱しない範囲で、本考案は種々の構成を採り得る。
【図面の簡単な説明】
【００６４】
【図１】本考案の一実施形態の飛散防止網の斜視図である。
【図２】（ａ）は図１の飛散防止網の枠体の背面図、（ｂ）は（ａ）のｂ−ｂ部位断面図、（ｃ）は（ａ）のｃ−ｃ部位断面図である。
【図３】（ａ）は図１の飛散防止網のネット部の正面図、（ｂ）は（ａ）のｂ部位拡大断面図である。
【図４】図１の飛散防止網の分解斜視図である。
【図５】図１の飛散防止網の連結例である。
【図６】従来の飛散防止網の斜視図である。
【符号の説明】
【００６５】
１…枠体
９…筋交い部材
１０…前側開口部
２１…ネット
２２…ネット固定部材
２５…スプリングワッシャー
３１…上壁
３１ａ…左端部
３１ｂ…右端部
３１ｃ…係止孔
４１…下壁
４１ａ…左端部
４１ｂ…右端部
４１ｃ…係止孔
５１…左側壁
５１ｃ…係止孔
６１…右側壁
６１ｃ…係止孔
７１…左連結壁
７１ｃ…係止孔
７２…左補助壁
７２ｃ…係止孔
８１…右連結壁
８１ｃ…係止孔
８２…右補助壁
８２ｃ…係止孔
Ｆ、Ｆ１、Ｆ２、Ｆ３、Ｆ４、Ｆ５、Ｆ６…飛散防止網
【図１】
0003116513.tif 000003
【図２】
0003116513.tif 000004
【図３】
0003116513.tif 000005
【図４】
0003116513.tif 000006
【図５】
0003116513.tif 000007
【図６】
0003116513.tif 000008